(57)【要約】【課題】搬送経路に沿って搬送される原稿の一方の面を読み取る第１画像読取部と、前記搬送経路に沿って搬送される原稿の他方の面を読み取る第２画像読取部とを備えた画像読取装置において、各画像読取部の副走査方向の読み取り位置がずれるのを抑制すること。【解決手段】基準ＣＬＫを計数する第１カウンタ部４３０，第２カウンタ部４１０は、基準ＣＬＫの数を各画像読取部２１０，２３０の画素数に換算したカウンタ値等を第１デバイス制御信号生成ブロック４４０，第２デバイス制御信号生成ブロック４７０に入力する。第１デバイス制御信号生成ブロック４４０，第２デバイス制御信号生成ブロック４７０は、入力されたカウンタ値に基づきクロック信号ＣＬＫ１，ＣＬＫ２、トリガ信号ＴＧ１，ＴＧ２を出力する。第１カウンタ部４３０が出力する前記カウンタ値がクリアされる際、第２カウンタ部４１０の当該カウンタ値もクリア信号によりクリアされる。【選択図】図２
2011234324.tif 000002
【特許請求の範囲】
【請求項１】
第１クロックを計数する第１カウンタ部と、
第２クロックを計数する第２カウンタ部と、
搬送経路に沿って搬送される原稿の一方の面を、前記第１カウンタ部の計数値に基づいて読み取る第１画像読取部と、
前記搬送経路に沿って搬送される当該原稿の他方の面を、前記第２カウンタ部の計数値に基づいて読み取る第２画像読取部と、
を備え、
前記第１カウンタ部及び前記第２カウンタ部は、前記第１カウンタ部の計数値が所定の第１クロックの数に達したときに、共にリセットされることを特徴とする画像読取装置。
【請求項２】
前記第１カウンタ部は、
前記第１クロックを計数し、その計数値が前記第１画像読取部の１画素分に対応する計数値に達する毎にリセットされる第１画素周期カウンタ部と、
前記第１画素周期カウンタ部の計数値が前記１画素分に対応する計数値に達した回数を計数する第１読取周期カウンタ部と、
を備え、
前記第２カウンタ部は、
前記第２クロックを計数し、その計数値が前記第２画像読取部の１画素分に対応する計数値に達する毎にリセットされる第２画素周期カウンタ部と、
前記第２画素周期カウンタ部の計数値が前記１画素分に対応する計数値に達した回数を計数する第２読取周期カウンタ部と、
を備え、
前記第１読取周期カウンタ部及び前記第２読取周期カウンタ部は、前記第１読取周期カウンタ部の計数値が前記第１画像読取部の主走査方向の画素数に対応する計数値に達したときに、共にリセットされることを特徴とする請求項１記載の画像読取装置。
【請求項３】
前記第２読取周期カウンタ部は、前記第１読取周期カウンタ部の計数値が前記第１画像読取部の主走査方向の画素数に対応する計数値に達した後、前記第２画素周期カウンタ部の計数値が前記第２画像読取部の１画素分に対応する計数値に達したタイミングで、リセットされることを特徴とする請求項２記載の画像読取装置。
【請求項４】
前記第１画像読取部は、当該第１画像読取部の主走査方向１ライン単位毎に、前記原稿の一方の面を読み取り、
前記第１カウンタ部は、
前記第１クロックを計数し、その計数値が前記第１画像読取部の１画素分に対応する計数値に達する毎にリセットされる第１画素周期カウンタ部と、
前記第１画素周期カウンタ部の計数値が前記１画素分に対応する計数値に達した回数を計数する第１読取周期カウンタ部と、
を備え、
前記第２画像読取部は、原稿へ照射する複数の色の光を当該第２画像読取部の主走査方向１ライン単位毎に切り換え、読み取られた前記複数の色の組み合わせを単位として、前記原稿の他方の面を読み取り、
前記第２カウンタ部は、
前記第２クロックを計数し、その計数値が前記第２画像読取部の１画素分に対応する計数値に達する毎にリセットされる第２画素周期カウンタ部と、
前記第２画素周期カウンタ部の計数値が前記１画素分に対応する計数値に達した回数を計数し、その計数値が前記第２画像読取部の主走査方向の画素数と同じ値に達する毎にリセットされるライン周期カウンタ部と、
前記ライン周期カウンタ部の計数値が前記第２画像読取部の主走査方向の画素数と同じ値に達した回数を計数する色数カウンタ部と、
を備え、
前記第１読取周期カウンタ部は、前記第１読取周期カウンタ部の計数値が前記第１画像読取部の主走査方向の画素数と同じ値に達したときに、リセットされ、
前記ライン周期カウンタ部と前記色数カウンタ部とは、前記第１読取周期カウンタ部の計数値が前記第１画像読取部の主走査方向の画素数と同じ値に達したときに、共にリセットされることを特徴とする請求項１記載の画像読取装置。
【請求項５】
前記ライン周期カウンタ部と前記色数カウンタ部とは、前記第１読取周期カウンタ部の計数値が前記第１画像読取部の主走査方向の画素数と同じ値に達した後、前記第２画素周期カウンタ部の計数値が前記第２画像読取部の１画素分に対応する計数値に達したタイミングで、リセットされることを特徴とする請求項４記載の画像読取装置。
【請求項６】
前記第１画像読取部の１画素分に対応する計数値と前記第１画像読取部の主走査方向の画素数との積の値が、前記第２画像読取部の１画素分に対応する計数値と前記第２画像読取部の主走査方向の画素数と前記複数の色の数との積の値より小さいことを特徴とする請求項４〜５のいずれか１項に記載の画像読取装置。
【請求項７】
前記第１画像読取部は、前記原稿の一方の面を、主走査方向１ライン単位毎に、複数の色を同時に読み取るＣＣＤデバイスであり、
前記第２画像読取部は、原稿へ照射する複数の色の光を当該第２画像読取部の主走査方向１ライン単位毎に切り換え、読み取られた前記複数の色の組み合わせを単位として、前記原稿の他方の面を読み取るＣＩＳデバイスであることを特徴とする請求項４〜６のいずれか１項に記載の画像読取装置。
【請求項８】
原稿が載置される透明な原稿台と、
前記原稿台の表面に開閉可能に設けられ、前記原稿台の表面に閉じられることによって前記原稿台に載置された原稿を覆う原稿カバーと、
を更に備え、
前記第１画像読取部は、前記原稿台側に設けられてその原稿台に載置された原稿も読み取り可能に構成され、
前記第２画像読取部は前記原稿カバー側に設けられたことを特徴とする請求項１〜７のいずれか１項に記載の画像読取装置。
【発明の詳細な説明】
【技術分野】
【０００１】
本発明は、原稿の画像を読み取る画像読取装置に関し、詳しくは、搬送経路に沿って搬送される原稿の一方の面を読み取る第１画像読取部と、前記搬送経路に沿って搬送される当該原稿の他方の面を読み取る第２画像読取部とを備えた画像読取装置に関する。
【背景技術】
【０００２】
従来より、スキャナ，複写機，ファクシミリ装置等の機器には、原稿の画像を読み取る画像読取装置が適用されている。この種の画像読取装置で原稿の表裏両面の画像を読み取る構成としては、原稿の搬送経路を工夫して原稿を反転させることによって１つの画像読取部により表裏両面の画像を読み取る構成も提案されているが、近年、２つの画像読取部により表裏両面の画像を同時に読み取る構成も提案されている。例えば、搬送経路に沿って搬送される原稿の一方の面を読み取る第１画像読取部と、前記搬送経路に沿って搬送される当該原稿の他方の面を読み取る第２画像読取部とを備えた画像読取装置では、前記第１画像読取部による前記一方の面の画像読取動作と、前記第２画像読取部による前記他方の面の画像読取動作とを並行して実行でき、読取速度を向上させることができる。
【０００３】
また、この種の画像読取装置では、第１画像読取部に入力されるクロックの計数値に基づいて前記第１画像読取部を動作させ、第２画像読取部に入力されるクロックの計数値に基づいて前記第２画像読取部を動作させることも提案されている。そして、更にその場合、前記第１画像読取部に入力されるクロックの計数値と前記第２画像読取部に入力されるクロックの計数値とを予め決められた基準値とそれぞれ比較することにより、各画像読取部による読取時間の差を縮小することが提案されている（例えば、特許文献１参照）。
【先行技術文献】
【特許文献】
【０００４】
【特許文献１】特開２００２−３５９７２１号公報
【発明の概要】
【発明が解決しようとする課題】
【０００５】
ところが、前記特許文献１の装置では、各画像読取部による読取時間の差を縮小することはできるが、原稿が搬送経路に沿って搬送されるにつれ、その差が蓄積する。その差が蓄積されると、前記第１画像読取部が読み取った一方の面と前記第２画像読取部が読み取った他方の面とで、副走査方向に読み取り位置のずれが発生する可能性があった。そこで、本発明は、搬送経路に沿って搬送される原稿の一方の面を読み取る第１画像読取部と、前記搬送経路に沿って搬送される当該原稿の他方の面を読み取る第２画像読取部とを備えた画像読取装置において、各画像読取部の副走査方向の読み取り位置のずれが生じるのを抑制することを目的としてなされた。
【課題を解決するための手段】
【０００６】
前記目的を達するためになされた本発明の画像読取装置は、第１クロックを計数する第１カウンタ部と、第２クロックを計数する第２カウンタ部と、搬送経路に沿って搬送される原稿の一方の面を、前記第１カウンタ部の計数値に基づいて読み取る第１画像読取部と、前記搬送経路に沿って搬送される当該原稿の他方の面を、前記第２カウンタ部の計数値に基づいて読み取る第２画像読取部と、を備え、前記第１カウンタ部及び前記第２カウンタ部は、前記第１カウンタ部の計数値が所定の第１クロックの数に達したときに、共にリセットされることを特徴としている。
【０００７】
このように構成された本発明の画像読取装置では、第１画像読取部は、搬送経路に沿って搬送される原稿の一方の面を、第１カウンタ部による第１クロックの計数値に基づいて読み取る。また、第２画像読取部は、前記搬送経路に沿って搬送される当該原稿の他方の面を、第２カウンタ部による第２クロックの計数値に基づいて読み取る。そして、前記第１カウンタ部及び前記第２カウンタ部は、前記第１カウンタ部の計数値が所定の第１クロックの数に達したときに、共にリセットされる。このため、前記第１カウンタ部の計数値が所定の第１クロックの数に達する毎に、前記第１カウンタ部の計数値と前記第２カウンタ部の計数値とが０になるから両計数値を一致させることができ、各画像読取部の副走査方向の読み取り位置のずれが生じるのを抑制することができる。なお、前記第１クロックと前記第２クロックとは、同一のクロックであってもよく異なるクロックであってもよい。
【０００８】
また、本発明において、前記第１カウンタ部は、前記第１クロックを計数し、その計数値が前記第１画像読取部の１画素分に対応する計数値に達する毎にリセットされる第１画素周期カウンタ部と、前記第１画素周期カウンタ部の計数値が前記１画素分に対応する計数値に達した回数を計数する第１読取周期カウンタ部と、を備え、前記第２カウンタ部は、前記第２クロックを計数し、その計数値が前記第２画像読取部の１画素分に対応する計数値に達する毎にリセットされる第２画素周期カウンタ部と、前記第２画素周期カウンタ部の計数値が前記１画素分に対応する計数値に達した回数を計数する第２読取周期カウンタ部と、を備え、前記第１読取周期カウンタ部及び前記第２読取周期カウンタ部は、前記第１読取周期カウンタ部の計数値が前記第１画像読取部の主走査方向の画素数に対応する計数値に達したときに、共にリセットされてもよい。
【０００９】
この場合、前記第１カウンタ部の第１画素周期カウンタ部は、前記第１クロックを計数し、その計数値が前記第１画像読取部の１画素分に対応する計数値に達する毎にリセットされる。また、前記第１カウンタ部の第１読取周期カウンタ部は、前記第１画素周期カウンタ部の計数値が前記１画素分に対応する計数値に達した回数を計数する。同様に、前記第２カウンタ部の第２画素周期カウンタ部は、前記第２クロックを計数し、その計数値が前記第２画像読取部の１画素分に対応する計数値に達する毎にリセットされる。また、前記第２カウンタ部の第２読取周期カウンタ部は、前記第２画素周期カウンタ部の計数値が前記１画素分に対応する計数値に達した回数を計数する。そして、前記第１読取周期カウンタ部及び前記第２読取周期カウンタ部は、前記第１読取周期カウンタ部の計数値が前記第１画像読取部の主走査方向の画素数に対応する計数値に達したときに、共にリセットされる。
【００１０】
従って、この場合、前記第１読取周期カウンタ部の計数値が前記第１画像読取部の主走査方向の画素数に対応する計数値に達する毎に、前記第１読取周期カウンタ部の計数値と前記第２読取周期カウンタ部の計数値とを一致させることができる。このため、本発明の画像読取装置は、前記各画像読取部の副走査方向の読み取り位置のずれが生じるのを抑制しながら原稿の画像を読み取ることができる。
【００１１】
なお、この場合、前記第１画像読取部の１画素分に対応する計数値と前記第１画像読取部の主走査方向の画素数に対応する計数値との積が、前記所定の第１のクロックの数に相当する。また、前記第１画像読取部の主走査方向の画素数に対応する計数値とは、当該画素数と同じ値でなくてもよく、ある程度の余裕を持たせた値であったり定数倍した値であったりしてもよい。
【００１２】
また、本発明において、前記第２読取周期カウンタ部は、前記第１読取周期カウンタ部の計数値が前記第１画像読取部の主走査方向の画素数に対応する計数値に達した後、前記第２画素周期カウンタ部の計数値が前記第２画像読取部の１画素分に対応する計数値に達したタイミングで、リセットされてもよい。
【００１３】
この場合、前記第１読取周期カウンタ部の計数値が前記第１画像読取部の主走査方向の画素数に対応する計数値に達することが、前記第２画素周期カウンタ部の計数値が前記第２画像読取部の１画素分に対応する計数値に達したタイミングに対してどのようなタイミングで発生しても、前記第２読取周期カウンタ部は次に前記第２画素周期カウンタ部の計数値が前記第２画像読取部の１画素分に対応する計数値に達したタイミングでリセットされる。このため、前記第２読取周期カウンタ部の誤動作を抑制することができる。
【００１４】
また、本発明において、前記第１画像読取部は、当該第１画像読取部の主走査方向１ライン単位毎に、前記原稿の一方の面を読み取り、前記第１カウンタ部は、前記第１クロックを計数し、その計数値が前記第１画像読取部の１画素分に対応する計数値に達する毎にリセットされる第１画素周期カウンタ部と、前記第１画素周期カウンタ部の計数値が前記１画素分に対応する計数値に達した回数を計数する第１読取周期カウンタ部と、を備え、前記第２画像読取部は、原稿へ照射する複数の色の光を当該第２画像読取部の主走査方向１ライン単位毎に切り換え、読み取られた前記複数の色の組み合わせを単位として、前記原稿の他方の面を読み取り、前記第２カウンタ部は、前記第２クロックを計数し、その計数値が前記第２画像読取部の１画素分に対応する計数値に達する毎にリセットされる第２画素周期カウンタ部と、前記第２画素周期カウンタ部の計数値が前記１画素分に対応する計数値に達した回数を計数し、その計数値が前記第２画像読取部の主走査方向の画素数と同じ値に達する毎にリセットされるライン周期カウンタ部と、前記ライン周期カウンタ部の計数値が前記第２画像読取部の主走査方向の画素数と同じ値に達した回数を計数する色数カウンタ部と、を備え、前記第１読取周期カウンタ部は、前記第１読取周期カウンタ部の計数値が前記第１画像読取部の主走査方向の画素数と同じ値に達したときに、リセットされ、前記ライン周期カウンタ部と前記色数カウンタ部とは、前記第１読取周期カウンタ部の計数値が前記第１画像読取部の主走査方向の画素数と同じ値に達したときに、共にリセットされてもよい。
【００１５】
この場合、前記第１画像読取部は、例えばＣＣＤデバイスやモノクロのＣＩＳデバイスのように、当該第１画像読取部の主走査方向１ライン単位毎に、前記原稿の一方の面を読み取る。一方、前記第２画像読取部は、例えばカラーのＣＩＳデバイスのように、原稿へ照射する複数の色の光を当該第２画像読取部の主走査方向１ライン単位毎に切り換え、読み取られた前記複数の色の組み合わせを単位として、前記原稿の他方の面を読み取る。
【００１６】
そして、前記第１カウンタ部の第１画素周期カウンタ部は、前記第１クロックを計数し、その計数値が前記第１画像読取部の１画素分に対応する計数値に達する毎にリセットされる。また、前記第１カウンタ部の第１読取周期カウンタ部は、前記第１画素周期カウンタ部の計数値が前記１画素分に対応する計数値に達した回数を計数する。一方、前記第２カウンタ部の第２画素周期カウンタ部は、前記第２クロックを計数し、その計数値が前記第２画像読取部の１画素分に対応する計数値に達する毎にリセットされる。また、前記第２カウンタ部のライン周期カウンタ部は、前記第２画素周期カウンタ部の計数値が前記１画素分に対応する計数値に達した回数を計数し、その計数値が前記第２画像読取部の主走査方向の画素数と同じ値に達する毎にリセットされる。更に、前記第２カウンタ部の色数カウンタ部は、前記ライン周期カウンタ部の計数値が前記第２画像読取部の主走査方向の画素数と同じ値に達した回数を計数する。
【００１７】
ここで、前記第１読取周期カウンタ部と前記ライン周期カウンタ部と前記色数カウンタ部とは、前記第１読取周期カウンタ部の計数値が前記第１画像読取部の主走査方向の画素数と同じ値に達したときに、共にリセットされる。従って、この場合、前記第１読取周期カウンタ部の計数値が前記第１画像読取部の主走査方向の画素数と同じ値に達する毎に、前記第１読取周期カウンタ部の計数値と前記ライン周期カウンタ部の計数値と前記色数カウンタ部の計数値とを一致させることができる。この場合、前記各画像読取部の形態が異なる場合でも、その各画像読取部による読取時間の差を、蓄積させることなく良好に縮小することができる。なお、この場合、前記第１画像読取部の１画素分に対応する計数値と前記第１画像読取部の主走査方向の画素数と同じ値との積が、前記所定の第１のクロックの数に相当する。
【００１８】
また、本発明において、前記ライン周期カウンタ部と前記色数カウンタ部とは、前記第１読取周期カウンタ部の計数値が前記第１画像読取部の主走査方向の画素数と同じ値に達した後、前記第２画素周期カウンタ部の計数値が前記第２画像読取部の１画素分に対応する計数値に達したタイミングで、リセットされてもよい。
【００１９】
この場合、前記第１読取周期カウンタ部の計数値が前記第１画像読取部の主走査方向の画素数と同じ値に達することが、前記第２画素周期カウンタ部の計数値が前記第２画像読取部の１画素分に対応する計数値に達したタイミングに対してどのようなタイミングで発生しても、前記ライン周期カウンタ部と前記色数カウンタ部とは次に前記第２画素周期カウンタ部の計数値が前記第２画像読取部の１画素分に対応する計数値に達したタイミングでリセットされる。このため、前記ライン周期カウンタ部及び前記色数カウンタ部の誤動作を抑制することができる。
【００２０】
また、本発明において、前記第１画像読取部の１画素分に対応する計数値と前記第１画像読取部の主走査方向の画素数との積の値が、前記第２画像読取部の１画素分に対応する計数値と前記第２画像読取部の主走査方向の画素数と前記複数の色の数との積の値より小さいようにしてもよい。
【００２１】
この場合、前記第１画像読取部の１画素分に対応する計数値と前記第１画像読取部の主走査方向の画素数との積の値が、前記第２画像読取部の１画素分に対応する計数値と前記第２画像読取部の主走査方向の画素数と前記複数の色の数との積の値より小さいため、第１カウンタ部を基準として、第２カウンタ部の計数値のリセットの制御が簡単である。
【００２２】
また、本発明において、前記第１画像読取部は、前記原稿の一方の面を、主走査方向１ライン単位毎に、複数の色を同時に読み取るＣＣＤデバイスであり、前記第２画像読取部は、原稿へ照射する複数の色の光を当該第２画像読取部の主走査方向１ライン単位毎に切り換え、読み取られた前記複数の色の組み合わせを単位として、前記原稿の他方の面を読み取るＣＩＳデバイスであってもよい。
【００２３】
また、本発明において、原稿が載置される透明な原稿台と、前記原稿台の表面に開閉可能に設けられ、前記原稿台の表面に閉じられることによって前記原稿台に載置された原稿を覆う原稿カバーと、を更に備え、前記第１画像読取部は、前記原稿台側に設けられてその原稿台に載置された原稿も読み取り可能に構成され、前記第２画像読取部は前記原稿カバー側に設けられてもよい。
【００２４】
この場合、前記第２画像読取部は前記搬送経路に沿って搬送される原稿を読み取るのみであるが、前記第１画像読取部は、前記搬送経路に沿って搬送される原稿を読み取るばかりでなく、透明な原稿台に載置された原稿も読み取り可能に構成されている。このため、前記第１画像読取部の方が使用頻度が高いが、本発明では、前述のように前記第１画像読取部側の第１カウンタ部を基準にして前記第２カウンタ部に対するリセットを行っているので、一層円滑な制御が実行できる。
【図面の簡単な説明】
【００２５】
【図１】本発明が適用された画像読取装置の構成を模式的に表す断面図である。
【図２】その画像読取装置の制御系の構成を表すブロック図である。
【図３】その制御系のカウンタ部の構成を詳細に表すブロック図である。
【図４】前記カウンタ部の変形例の構成を詳細に表すブロック図である。
【図５】そのカウンタ部の動作を表すタイムチャートである。
【図６】前記カウンタ部の他の変形例の構成を詳細に表すブロック図である。
【図７】そのカウンタ部の動作を表すタイムチャートである。
【発明を実施するための形態】
【００２６】
［画像読取装置の全体の構成］
次に、本発明の実施の形態を図面と共に説明する。図１は、本発明が適用された画像読取装置１０の構成を模式的に表す断面図である。なお、この画像読取装置１０は、図示省略した画像形成部を内蔵する複合機の基体２０の上部に設けられ、その基体２０の上面には原稿カバー３０が開閉可能に設けられている。
【００２７】
図１に示すように、基体２０の上端面には、画像読取装置１０がフラットベットスキャナとして使用される場合に原稿（図示省略）が載置されるガラス製の透明な原稿台２１が設けられている。そして、原稿カバー３０は、原稿台２１の表面に閉じられることによってその原稿台２１に載置された原稿を覆うように開閉自在に取り付けられている。
【００２８】
また、この原稿カバー３０は、ＡＤＦ（Automatic Document Feeder ）を備える原稿カバーとして構成され、給紙トレイ１１０に載置された原稿を搬送経路に沿って搬送しＡＤＦとして機能する搬送部１００と、搬送経路を搬送される原稿の裏面の画像読み取りを行うことが可能な第２画像読取部２１０とを備えている。なお、前記第２画像読取部２１０と並行して原稿の表面の画像読み取りを行うことが可能な第１画像読取部２３０は基体２０に設けられている。
【００２９】
搬送部１００は、給紙トレイ１１０に載置された原稿を、搬送経路（図１の点線）に沿って排紙トレイ１３０まで搬送する搬送ローラ１２１〜１２９を備えている。また、この搬送経路には、上流側読取位置と下流側読取位置とが設定されており、原稿の裏面（他方の面に相当）の画像読み取りを行うための第２画像読取部２１０が上流側読取位置に対応して設けられており、更に、上流側読取位置を通過する原稿を第２画像読取部２１０の読取面に押圧する裏面用原稿押え２２０が設けられている。また、原稿台２１に設けられた、原稿の表面（一方の面に相当）の画像読み取りのための第１画像読取部２３０が下流側読取位置に対応する位置に移動可能に構成されており、下流側読取位置を通過する原稿を第１画像読取部２３０の読取面に押圧する表面用原稿押え２４０が設けられている。
【００３０】
更に、第１画像読取部２３０は、モータ３５１によって回転駆動される駆動プーリ３５３と従動プーリ３５５との間に架設された無端ベルト３５７に固定されており、モータ３５１の回転に応じて原稿台２１の下方を副走査方向（図１における左右方向）に移動可能である。
【００３１】
［画像読取部の制御系の構成］
次に、図２は、画像読取装置１０の制御系の構成を表すブロック図である。図２に示すように、画像読取装置１０の制御系はＡＳＩＣ４００を中心に構成されている。このＡＳＩＣ４００は、基準クロック（基準ＣＬＫ：第１クロックの一例、第２クロックの一例）を計数する第１カウンタ部４３０と第２カウンタ部４１０とを備えている。第１カウンタ部４３０が計数したカウンタ値は、第１デバイス制御信号生成ブロック４４０に入力され、その第１デバイス制御信号生成ブロック４４０は、入力されたカウンタ値に基づき、クロック信号ＣＬＫ１，トリガ信号ＴＧ１等の制御信号を第１画像読取部２３０に入力する。
【００３２】
第１画像読取部２３０は、Ｒ（赤），Ｇ（緑），Ｂ（青）の光を原稿の主走査方向に沿ったライン状にそれぞれ照射する光源２３１Ｒ，２３１Ｇ，２３１Ｂと、前記照射された光の反射光を検出する複数の受光素子を主走査方向に並べた受光部２３３とを備えている。すなわち、第１画像読取部２３０は、ＣＩＳデバイスであって、トリガ信号ＴＧ１に応じたタイミングで光源２３１Ｒ，２３１Ｇ，２３１Ｂを切り換えながら順次点灯させ、受光部２３３から各受光素子の受光量に応じた読取信号を順次出力する。
【００３３】
この読取信号は、ＡＳＩＣ４００に設けられた画像処理回路４５０に入力される。画像処理回路４５０は、入力された読取信号を、第１デバイス制御信号生成ブロック４４０から入力される周期信号に基づいて１画素分ずつ処理することにより、読み取られた原稿の画像を２次元のイメージデータとする。更に、ＡＳＩＣ４００は、第１カウンタ部４３０と第１デバイス制御信号生成ブロック４４０とにおける処理に使用される各種数値を記憶した第１レジスタ４６０も備えている。
【００３４】
また、第２画像読取部２１０も、第１画像読取部２３０と同様に、光源２１１Ｒ，２１１Ｇ，２１１Ｂと受光部２１３とを備えたＣＩＳデバイスで、ＡＳＩＣ４００からクロック信号ＣＬＫ２，トリガ信号ＴＧ２を入力されて読取信号を出力する。この第２画像読取部２１０に対しても、ＡＳＩＣ４００は、第２カウンタ部４１０から入力されたカウンタ値に基づきクロック信号ＣＬＫ２，トリガ信号ＴＧ２等を第２画像読取部２１０に入力する第２デバイス制御信号生成ブロック４７０と、第２画像読取部２１０から入力された読取信号を処理する画像処理回路４８０と、第２カウンタ部４１０，第２デバイス制御信号生成ブロック４７０における処理に使用される各種数値を記憶した第２レジスタ４９０とを備えている。
【００３５】
次に、図３は、第１カウンタ部４３０，第２カウンタ部４１０の構成を詳細に表すブロック図である。図３に示すように、第１カウンタ部４３０は、基準クロックを計数する第１画素周期カウンタ４３１（第１画素周期カウンタ部の一例）を備え、基準クロックを計数した値であるカウンタ値（計数値の一例）は同じく第１カウンタ部４３０に設けられた比較器４３２に入力される。
【００３６】
比較器４３２は、第１画素周期カウンタ４３１から入力されるカウンタ値を第１レジスタ４６０に記憶された第１画像読取部２３０の１画素分の基準クロックの数の値と比較し、両値が一致するとカウントアップ−クリア信号を出力する。そして、第１画素周期カウンタ４３１は、そのカウントアップークリア信号が入力されると、基準クロックを計数したカウンタ値をリセットする。
【００３７】
このカウントアップ−クリア信号は、第１画素周期カウンタ４３１にクリア信号として入力されると共に、同じく第１カウンタ部４３０に設けられた第１読取周期カウンタ４３３（第１読取周期カウンタ部の一例）にカウントアップ信号として入力される。第１読取周期カウンタ４３３のカウンタ値は、同じく第１カウンタ部４３０に設けられた比較器４３４に入力される。比較器４３４は、第１読取周期カウンタ４３３から入力されるカウンタ値を第１レジスタ４６０に記憶された第１画像読取部２３０の主走査方向の画素数の値と比較し、両カウンタ値が一致するとクリア信号を出力する。このクリア信号は、第１読取周期カウンタ４３３と、後述の第２読取周期カウンタ４１３とに入力される。
【００３８】
一方、第２カウンタ部４１０は、前記基準クロックを計数する第２画素周期カウンタ４１１（第２画素周期カウンタ部の一例）を備え、そのカウンタ値は同じく第２カウンタ部４１０に設けられた比較器４１２に入力される。比較器４１２は、第２画素周期カウンタ４１１から入力されるカウンタ値を第２レジスタ４９０に記憶された第２画像読取部２１０の１画素分の基準クロックの数の値と比較し、両値が一致するとカウントアップ−クリア信号を出力する。
【００３９】
なお、第１レジスタ４６０に記憶された第１画像読取部２３０の１画素分の基準クロックの数（例えば、２２）と、第２レジスタ４９０に記憶された第２画像読取部２１０の１画素分の基準クロックの数（例えば、４０）とは、それぞれ異なる。また、第１画像読取部２３０の主走査方向の画素数（例えば、４５４５）と、第２画像読取部２１０の主走査方向の画素数（例えば、２５００）とは、それぞれ異なる。
【００４０】
これは、第１画像読取部２３０と第２画像読取部２１０とで、それぞれ性能が異なり、その性能によって１画素分の基準クロックの数、主走査方向の画素数が異なることに起因する。このカウントアップ−クリア信号は、第２画素周期カウンタ４１１にクリア信号として入力されると共に、同じく第２カウンタ部４１０に設けられた第２読取周期カウンタ４１３（第２読取周期カウンタ部の一例）にカウントアップ信号として入力される。この第２読取周期カウンタ４１３は、第１カウンタ部４３０の比較器４３４から出力される前述のクリア信号によってクリア（以下、リセットともいう）される。
【００４１】
［画像読取部の制御系の動作］
このため、第１画素周期カウンタ４３１のカウンタ値は基準クロックの１クロック毎に増加し、第１読取周期カウンタ４３３のカウンタ値は基準クロックが第１画像読取部２３０の１画素分計数される毎に増加する。そこで、第１デバイス制御信号生成ブロック４４０は、第１画素周期カウンタ４３１のカウンタ値に基づいてクロック信号ＣＬＫ１を出力し、第１読取周期カウンタ４３３のカウンタ値に基づいてトリガ信号ＴＧ１と周期信号とを出力する。第１デバイス制御信号生成ブロック４４０は、そのカウンタ値が第１画像読取部２３０の主走査方向の画素数（例えば４５４５）に達する毎、すなわちカウンタ値がゼロになる毎にトリガ信号ＴＧ１を出力する。
【００４２】
同様に第２画素周期カウンタ４１１のカウンタ値は基準クロックの１クロック毎に増加し、第２読取周期カウンタ４１３のカウンタ値は基準クロックが第２画像読取部２１０の１画素分計数される毎に増加する。そこで、第２デバイス制御信号生成ブロック４７０は、第２画素周期カウンタ４１１のカウンタ値に基づいてクロック信号ＣＬＫ２を出力し、第２読取周期カウンタ４１３のカウンタ値に基づいてトリガ信号ＴＧ２と周期信号とを出力する。第１読取周期カウンタ４３３のカウンタ値が第１画像読取部２３０の主走査方向の画素数の値に達すると、第１読取周期カウンタ４３３と第２読取周期カウンタ４１３とが前記クリア信号によって同時にリセットされる。そして、トリガ信号ＴＧ２は、第２読取周期カウンタ４１３が計数するカウンタ値がゼロになる毎に、第２デバイス信号生成ブロックから出力される。
【００４３】
従来、トリガ信号ＴＧ１が、第１画像読取部２３０の１ライン分の読取信号が出力されるのに要する基準クロック数（例えば２２×４５４５）に基づいて出力され、トリガ信号ＴＧ２が、第２画像読取部２１０の１ライン分の読取信号が出力されるのに要する基準クロック数（例えば４０×２５００）に基づいて出力される。その場合、トリガ信号ＴＧ１が出力される間の間隔と、トリガ信号ＴＧ２が出力される間の間隔とに差異が生じる。すると、各画像読取部２１０、２３０の副走査方向の読み取り位置にずれが生じることになる。
【００４４】
本実施形態では、トリガ信号ＴＧ１とＴＧ２とは、それぞれ第１読取周期カウンタ４３３と第２読取周期カウンタ４１３が計数するカウンタ値がゼロになったタイミングで出力されるため、トリガ信号ＴＧ１が出力される間の間隔とトリガ信号ＴＧ２が出力される間の間隔とが一致する。
【００４５】
このため、各画像読取部２１０，２３０の副走査方向の読み取り位置にずれが生じるのを抑制しながら原稿の画像を読み取ることができる。
第１画像読取部２３０にて１ライン分の読取信号が出力されるのに要する基準クロック数（例えば２２×４５４５）は、第２画像読取部２１０にてカラー１ライン分の読取信号が出力されるのに要する基準クロック数（例えば４０×２５００）よりも小さい。
【００４６】
このため、第１カウンタ部４３０を基準とした第２カウンタ部４１０のカウンタ値のリセットの制御が簡単である。なお、前記クロック数の差は１０である。このため、第１画像読取部２３０にて１ライン分の読取信号の出力が終了して前記クリア信号が出力されるときには、第２画像読取部２１０による１ライン中の有効な読取領域における読取信号の出力も終了しており、第２画像読取部２１０からはいわゆるダミー領域の画素のデータしか出力されていない。なお、ダミー領域は、ＣＩＳデバイスにおいて一般的に存在しており、例えば特開平１０−２８５３３３号の段落００１８等に示すように公知であるので、ここでは説明を割愛する。しかも、第１画像読取部２３０は、前記搬送経路に沿って搬送される原稿を読み取るばかりでなく、モータ３５１の回転に応じて原稿台２１の下方を移動しながらその原稿台２１に載置された原稿も読み取り可能に構成されている。このため、第１画像読取部２３０の方が使用頻度が高いが、本実施の形態では、前述のように第１画像読取部２３０を制御するための第１カウンタ部４３０を基準にして前記第２カウンタ部４１０に対するリセットを行っているので、一層円滑な制御が実行できる。
【００４７】
［他の実施の形態］
なお、本発明は前記実施の形態になんら限定されるものではなく、本発明の要旨を逸脱しない範囲で種々の形態で実施することができる。例えば、第２読取周期カウンタ４１３に入力されるクリア信号を第２画素周期カウンタ４１１にも入力してもよい。すなわち、前記実施の形態では、第１カウンタ部４３０，第２カウンタ部４１０が出力する各画像読取部２１０，２３０の画素数に応じたカウンタ値（すなわち一部の計数値）のみを同時にリセットしているが、第１カウンタ部４３０，第２カウンタ部４１０が出力する全てのカウンタ値を同時にリセットしてもよい。このような構成は、例えば、比較器４３４から出力されるクリア信号と比較器４１２から出力されるカウントアップ−クリア信号とのＯＲ（論理積）を、第２画素周期カウンタ４１１にクリア信号として入力することによって実現することができる。
【００４８】
また、比較器４１２からカウントアップ−クリア信号が第２読取周期カウンタ４１３に入力されるタイミングと、比較器４３４からクリア信号が第２読取周期カウンタ４１３に入力されるタイミングとが異なると、第２読取周期カウンタ４１３にて誤動作が生じる可能性も排除できない。そこで、第２カウンタ部４１０には、次のようなクリア判定回路４１４を設けてもよい。
【００４９】
すなわち、図４に示すように、第２カウンタ部４１０に設けられたクリア判定回路４１４には、比較器４１２からのカウントアップ−クリア信号と比較器４３４からのクリア信号とが入力されている。そして、このクリア判定回路４１４は、比較器４３４からクリア信号が入力された後、次にカウントアップ−クリア信号が入力された後のタイミングで、第２読取周期カウンタ４１３にクリア信号を入力する。
【００５０】
この場合、図５に例示するように、第１読取周期カウンタ４３３のカウンタ値が第１画像読取部２３０の主走査方向の画素数の値（図５では自然数ｍとする）に達して比較器４３４からクリア信号が出力された後、比較器４１２からカウントアップ−クリア信号が出力されて第２読取周期カウンタ４１３のカウント値がカウントアップされた後に、その第２読取周期カウンタ４１３がリセットされる。このため、第２読取周期カウンタ４１３の誤動作を良好に抑制することができる。
【００５１】
また、第１画像読取部２３０からＲ，Ｇ，Ｂのいずれかに対する単色の１ライン分の読取信号が出力される毎に、第１読取周期カウンタ４３３と第２読取周期カウンタ４１３とが同時にリセットされる。このため、第１読取周期カウンタ４３３と第２読取周期カウンタ４１３とが同時にリセットされる頻度が増加して、各画像読取部２１０，２３０の副走査方向の読み取り位置にずれが生じるのを一層良好に抑制しながら原稿の画像を読み取ることができる。
【００５２】
図５に示すように、この場合、第１読取周期カウンタ４３３のカウンタ値が第１画像読取部２３０の主走査方向の画素数と同じカウンタ値（図５では自然数ｍとする）に達して比較器４３４からクリア信号が出力された後、比較器４１２からカウントアップ−クリア信号が出力されて第２読取周期カウンタ４１３のカウント値がカウントアップされた後に、その第２読取周期カウンタ４１３がリセットされる。また、そのようなリセットがなされる毎に、第２デバイス制御信号生成ブロック４７０からトリガ信号ＴＧ２が出力される。このため、第２読取周期カウンタ４１３の誤動作を良好に抑制しつつ、各画像読取部２１０，２３０の副走査方向の読み取り位置にずれが生じるのを一層良好に抑制することができる。
【００５３】
上記の実施形態では、第１画像読取部２３０からＲ，Ｇ，Ｂのいずれかに対する単色の１ライン分の読取信号が出力される毎に、第１読取周期カウンタ４３３と第２読取周期カウンタ４１３とが同時にリセットされるが、Ｒ，Ｇ，Ｂの３色分の読取信号が出力される毎に、第１読取周期カウンタ４３３と第２読取周期カウンタ４１３とが同時にリセットしてもよい。
【００５４】
また、前記各実施の形態では、Ｒ，Ｇ，Ｂの各色に対する主走査方向１ライン単位毎の読取信号を順次出力してその３ライン分を組み合わせたカラー１ライン分の読取信号が出力されるＣＩＳデバイスを各画像読取部２１０，２３０として使用している。これに対して、画像読取部２１０，２３０の一方または両方が、主走査方向１ライン単位毎に複数の色を同時に読み取るＣＣＤデバイスであってもよい。
【００５５】
図６は、第２画像読取部２１０は前記各実施の形態と同様のＣＩＳデバイスで、第１画像読取部２３０がＣＣＤデバイスである場合の第１カウンタ部４３０，第２カウンタ部４１０の構成を詳細に表すブロック図である。図６に示すように、本実施の形態は、第２カウンタ部４１０に、第２読取周期カウンタ４１３の代わりに、次のような比較器４１５，ライン周期カウンタ４１６（ライン周期カウンタ部の一例），ＯＲ回路４１７，色数カウンタ４１８（色数カウンタ部の一例），クリア判定回路４１９を備えている。
【００５６】
ライン周期カウンタ４１６には、前述のように比較器４１２から出力されたカウントアップ−クリア信号がカウントアップ信号として入力され、ライン周期カウンタ４１６のカウンタ値は比較器４１５に入力される。比較器４１５は、ライン周期カウンタ４１６から入力されるカウンタ値を第２レジスタ４９０に記憶された第２画像読取部２１０の主走査方向の画素数（例えば１６７５）と比較し、両カウンタ値が一致するとＯＲ回路３１７へ信号を出力する。ＯＲ回路４１７は、前述のクリア判定回路４１４からの信号と比較器４１５からの信号との論理積を、カウントアップ−クリア信号として出力する。
【００５７】
このカウントアップ−クリア信号は、ライン周期カウンタ４１６にクリア信号として入力されると共に、色数カウンタ４１８にカウントアップ信号として入力される。また、クリア判定回路４１９はクリア判定回路４１４と同様のタイミングで、色数カウンタ４１８にクリア信号を入力する。
【００５８】
なお、本実施の形態では、第１カウンタ部４３０において、比較器４３２には第１レジスタ４６０からＣＣＤデバイス（第１画像読取部２３０）の１画素分の値（例えば４０）が入力され、比較器４３４にはそのＣＣＤデバイスの主走査方向の画素数と同じ値（例えば２５００）が入力されている。また、第２カウンタ部４１０の比較器４１２には、ＣＩＳデバイス（第２画像読取部２１０）の１画素分の値（例えば２２）が、比較器４１５には、その第２画像読取部２１０の主走査方向の画素数と同じ値（例えば１５１６）が、それぞれ入力されている。
【００５９】
この場合、図７に示すように、第１読取周期カウンタ４３３のカウンタ値が第１画像読取部２３０の主走査方向の画素数と同じ値に達すると、次に比較器４１２からカウントアップ−クリア信号が出力された後に、第１読取周期カウンタ４３３とライン周期カウンタ４１６と色数カウンタ４１８とが同時にリセットされる。
【００６０】
そして、第１デバイス制御信号生成ブロック４４０は、第１読取周期カウンタ４３３のカウンタ値がゼロになる毎にトリガ信号ＴＧ１を出力する。
また、第２読取デバイス制御信号生成ブロック４７０は、ライン周期カウンタ４１６のカウンタ値がゼロになる毎にトリガ信号ＴＧ２を出力する。
【００６１】
上記の構成によって、第１画像読取部２３０のカラー１ラインのトリガ信号ＴＧ１が出力される間の間隔と、Ｒ，Ｇ，Ｂの３色分のカラー１ライン分のトリガ信号ＴＧ２が出力される間の間隔とが一致する。
【００６２】
従って、図５の実施の形態と同様に、ライン周期カウンタ４１６，色数カウンタ４１８の誤動作や、各画像読取部２１０，２３０の副走査方向の読み取り位置にずれが生じるのを抑制しながら、原稿の画像を読み取ることができる。
【００６３】
なお、ライン周期カウンタ４１６と色数カウンタ４１８とが計数するカウンタ値に基づいて、第２デバイス制御信号生成ブロック４７０が周期信号を画像処理回路４８０に出力する。
【００６４】
なお、第１画像読取部２３０にて１ライン分（すなわちカラー１ライン分）の読取信号が出力されるのに要する基準クロック数（例えば４０×２５００）は、第２画像読取部２１０にてカラー１ライン分の読取信号が出力されるのに要する基準クロック数（例えば２２×１５１６×３）よりも小さい。このため、第１カウンタ部４３０を基準とした第２カウンタ部４１０のカウンタ値のリセットの制御が簡単である。なお、前記クロック数の差は５６である。このため、第１画像読取部２３０にて１ライン分の読取信号の出力が終了して前記クリア信号が出力されるときには、第２画像読取部２１０によるカラー１ライン分の読取信号の出力も終了しており、第２画像読取部２１からはいわゆるダミー領域の画素のデータしか出力されていない。
【００６５】
また、図３または図４に示した第１カウンタ部４３０，第２カウンタ部４１０においても、図６の第２カウンタ部４１０と同様に最下層に色数カウンタを設けてもよい。更に、画像読取部２１０，２３０のいずれか一方もしくは両方が、モノクロのＣＩＳデバイスであってもよく、例えば第１画像読取部２３０がモノクロのＣＩＳデバイスで第２画像読取部２１０がカラーのＣＩＳデバイスの場合、図６と同様に構成された第１カウンタ部４３０，第２カウンタ部４１０が利用できる。
【符号の説明】
【００６６】
１０…画像読取装置                            ２０…基体
２１…原稿台                                  ３０…原稿カバー
１００…搬送部                                ２１０…第２画像読取部
２３０…第１画像読取部                        ３５１…モータ
４１０…第２カウンタ部                        ４１１…第２画素周期カウンタ
４１２，４１５，４３２，４３４…比較器        ４１３…第２読取周期カウンタ
４１４，４１９…クリア判定回路                ４１６…ライン周期カウンタ
４１８…色数カウンタ                          ４３０…第１カウンタ部
４３１…第１画素周期カウンタ                  ４３３…第１読取周期カウンタ
４４０…第１デバイス制御信号生成ブロック      ４６０…第１レジスタ
４７０…第２デバイス制御信号生成ブロック      ４９０…第２レジスタ
【図１】
2011234324.tif 000003
【図２】
2011234324.tif 000004
【図３】
2011234324.tif 000005
【図４】
2011234324.tif 000006
【図５】
2011234324.tif 000007
【図６】
2011234324.tif 000008
【図７】
2011234324.tif 000009